(57)【要約】【課題】インピーダンスマッチングの範囲を広くすることが可能な電磁結合型Ｎ（Ｍ）点給電ループアンテナを提供すること。【解決手段】円筒形電磁結合型４点給電ループアンテナ（１０Ａ）は、可撓性の絶縁フィルム部材を中心軸の回りに円筒状に丸めて形成された円筒体（１１）と、この円筒体にその周面に沿って中心軸の回りにループ状に形成された導体よりなるループ部（１２）と、このループ部へ４点で給電するために、円筒体にその周面上に形成された４本の給電線（１３１〜１３４）とを有し、ループ部と４本の給電線の各々との間にギャップを設け、電磁結合によって給電している。絶縁フィルム部材として両面フレキシブルプリント配線板（２０Ａ）を使用し、この両面フレキシブルプリント配線板の厚さをギャップ（δ２）として用いている。【選択図】　　　図１１
2004120315.tif 000002
【特許請求の範囲】
【請求項１】
可撓性の絶縁フィルム部材を中心軸の回りに円筒状に丸めて形成された円筒体と、該円筒体にその周面に沿って前記中心軸の回りにループ状に形成された導体よりなるループ部と、該ループ部へＮ（Ｎは２以上の整数）点で給電するために、前記円筒体にその周面上に形成されたＮ本の給電線とを有し、前記ループ部と前記Ｎ本の給電線の各々との間にギャップを設け、電磁結合によって給電する円筒形電磁結合型Ｎ点給電ループアンテナにおいて、
前記可撓性の絶縁フィルム部材として両面フレキシブルプリント配線板を使用し、該両面フレキシブルプリント配線板の厚さを前記ギャップとして用いたことを特徴とする円筒形電磁結合型Ｎ点給電ループアンテナ。
【請求項２】
前記絶縁フィルム部材は、互いに対向する第１および第２の面と、互いに対向する上辺および下辺と、互いに対向する第１および第２の側辺とを持つ実質的に薄厚の直方体形状をしており、前記第１の側辺と前記第２の側辺とを互いに接続することにより前記円筒体が形成され、
前記ループ部は、前記絶縁フィルム部材の前記第１の面上に前記上辺近傍に形成されている、請求項１に記載の円筒形電磁結合型Ｎ点給電ループアンテナ。
【請求項３】
前記Ｎ本の給電線の各々は、前記絶縁フィルム部材の前記第２の面上で、前記絶縁フィルム部材の上記下辺から前記ループ部の近傍まで延在しており、
前記ループ部には、前記絶縁フィルム部材の厚さを前記ギャップとするように前記Ｎ本の給電線と前記絶縁フィルム部材を間に挟んで対向した状態で、前記絶縁フィルム部材の前記第１の面上で前記ループ部から前記Ｎ本の給電線に沿って前記下辺へ向けて延在するＮ本の電磁結合線が接続されていることを特徴とする、請求項２に記載の円筒形電磁結合型Ｎ点給電ループアンテナ。
【請求項４】
前記絶縁フィルム部材の第１の面が前記円筒体の内面を形成し、前記絶縁フィルム部材の第２の面が前記円筒体の外面を形成することを特徴とする、請求項３に記載の円筒形電磁結合型Ｎ点給電ループアンテナ。
【請求項５】
同一形状を持つ第１乃至第Ｍ（Ｍは３以上の整数）の絶縁フィルム部材を互いに側辺を接続することによって中心軸の回りにＭ角筒状に配置して形成されたＭ角筒体と、該Ｍ角筒体にその周面に沿って前記中心軸の回りにループ状に形成された導体よりなるループ部と、該ループ部へＭ点で給電するために、前記Ｍ角筒体を構成する前記第１乃至前記第Ｍの絶縁フィルム部材の周面上にそれぞれ形成された第１乃至第Ｍの給電線とを有し、前記ループ部と前記第１乃至第Ｍの給電線の各々との間にギャップを設け、電磁結合によって給電する多角筒形電磁結合型Ｍ点給電ループアンテナにおいて、
前記第１乃至前記第Ｍの絶縁フィルム部材の各々として両面プリント配線板を使用し、該両面プリント配線板の厚さを前記ギャップとして用いたことを特徴とする多角筒形電磁結合型Ｍ点給電ループアンテナ。
【請求項６】
前記第１乃至前記第Ｍの絶縁フィルム部材の各々は、互いに対向する第１および第２の面と、互いに対向する上辺および下辺と、互いに対向する第１および第２の側辺とを持つ実質的に薄厚の直方体形状をしており、互いに隣接する絶縁フィルム部材の前記第１の側辺と前記第２の側辺とを接続することにより前記Ｍ角筒体が形成され、
前記ループ部は、前記第１乃至前記第Ｍの絶縁フィルム部材の前記第１の面上に前記上辺近傍に形成されている、請求項５記載の多角筒形電磁結合型Ｍ点給電ループアンテナ。
【請求項７】
前記第１乃至前記第Ｍの給電線は、それぞれ、前記第１乃至前記第Ｍの絶縁フィルム部材の前記第２の面上で、前記第１乃至前記第Ｍの絶縁フィルム部材の上記下辺から前記ループ部の近傍まで延在しており、
前記ループ部には、前記第１乃至前記第Ｍの絶縁フィルム部材の各々の厚さを前記ギャップとするように、前記第１乃至第Ｍの給電線と前記第１乃至前記第Ｍの絶縁フィルム部材を間に挟んで対向した状態で、前記第１乃至前記第Ｍの絶縁フィルム部材の前記第１の面上で前記ループ部から前記第１乃至前記第Ｍの給電線に沿って前記下辺へ向けて延在する第１乃至第Ｍの電磁結合線が接続されていることを特徴とする、請求項６記載の多角筒形電磁結合型Ｍ点給電ループアンテナ。
【請求項８】
前記第１乃至前記第Ｍの絶縁フィルム部材の第１の面が前記Ｍ角筒体の内面を形成し、前記第１乃至前記第Ｍの絶縁フィルム部材の第２の面が前記Ｍ角筒体の外面を形成することを特徴とする、請求項７に記載の多角筒形電磁結合型Ｍ点給電ループアンテナ。
【発明の詳細な説明】
【０００１】
【発明の属する技術分野】
本発明は、人工衛星からの電波（以下「衛星波」とも呼ぶ。）又は地上での電波（以下「地上波」とも呼ぶ。）を受信してデジタルラジオ放送を聴取することが可能なデジタルラジオ受信機に関し、特に、デジタルラジオ受信機に用いられるループアンテナに関する。
【０００２】
【従来の技術】
最近、人工衛星からの電波（衛星波）又は地上波を受信して、デジタルラジオ放送を聴取可能にしたデジタルラジオ受信機が開発され、米国において実用化されている。このデジタルラジオ受信機は、自動車等の移動局等に搭載され、周波数が約２．３３８ＧＨｚの電波を受信してラジオ放送を聴取することが可能である。尚、地上波は、衛星波を一旦、地球局で受信した後、周波数を若干シフトした後、直線偏波で再送信したものである。
【０００３】
このような、約２．３３８ＧＨｚの周波数の電波を受信するためには、自動車の車外にアンテナを設置する必要がある。種々の構造を持つ各種アンテナが提案されているが、一般的に円筒型のアンテナが平面型（平板型）のものより使用されている。その理由は、広い指向性がアンテナを円筒型に形成することによって達成されるからである。
【０００４】
円筒型アンテナの１つとしてループアンテナがこの技術分野において知られている。ループアンテナは、円筒または円柱（以下「円筒」と呼ぶ。）状部材の周りに１本の導線をループ状に巻いた構造をしている。ループ全周を１波長付近に選ぶと電流分布は正弦波状となり、軸方向に指向性をもつアンテナとなることが知られている。
【０００５】
このようなループアンテナにおいては、それに給電することが必要であるが、４点で給電するのが一般的である。円偏波を受信するために、給電は互いに９０°の位相差を持つ４点で行われる。このような４点で給電する型のループアンテナは４点給電ループアンテナと呼ばれる。従来の４点給電ループアンテナではループ部に対して直接給電が行われている。
【０００６】
図１乃至図３を参照して、第１の従来の４点給電ループアンテナ１０’について詳述する。図示の４点給電ループアンテナ１０’は、後で図３を参照して詳述するような可撓性の絶縁フィルム部材２０を中心軸の回りに円筒状に丸めて形成された円筒体１１と、この円筒体１１にその周面に沿って中心軸の回りにループ状に形成された導体よりなるループ部１２と、このループ部１２へ４点で給電するために、円筒体１１にその周面上に形成された第１乃至第４の給電線１３１，１３２，１３３，１３４とを有する。ループ部１２を構成する導体としては、例えば銅箔が使用される。また、円筒体１１を構成する絶縁フィルム部材２０としては、例えば、ポリイミドなどのプラスチックが使用される。円筒体１１の直径は２０ｍｍである。
【０００７】
第１の従来の４点給電ループアンテナ１０’では、ループ部１２と第１乃至第４の給電線１３１〜１３４の各々とは直接接続されている。
【０００８】
尚、４点給電ループアンテナ１０’において、そのループ部１２で受信された電波は、第１乃至第４の給電線１３１〜１３４を介して移相器（位相シフタ）（図示せず）によって位相をシフトすることにより位相を一致させて（調整して）合成された後、低雑音増幅器（ＬＮＡ）（図示せず）によって増幅され、受信機本体へ送られる。ここで、４点給電ループアンテナ１０’と移相器とＬＮＡとの組合せは、アンテナ装置と呼ばれる。
【０００９】
尚、上述した第１の従来例では、ループ部１２に４点で給電する場合を例に挙げて説明したが、ループ部にＮ（Ｎは２以上の整数）点で給電する場合にも拡張できる。このようなＮ点で給電する型のループアンテナはＮ点給電ループアンテナと呼ばれる。従って、従来のＮ点給電ループアンテナでは、ループ部とＮ本の給電線の各々とを直接接続することによって、ループ部に対して直接給電を行っている。
【００１０】
図３を参照すると、円筒体１１を形成するための絶縁フィルム部材２０は、主面２０ｐと、上辺２０Ｕと、下辺２０Ｌと、第１の側辺２０Ｓ１と、第２の側辺２０Ｓ２とを持つ実質的に矩形の形状をしている。そして、第１の側辺２０Ｓ１と第２の側辺２０Ｓ２とを互いに接続することにより、図１に示されるような、円筒体１１が形成される。この第１の側辺２０Ｓ１と第２の側辺２０Ｓ２との接続は、例えば、両面接着テープや接着剤などによって行われる。
【００１１】
また、ループ部１２は、絶縁フィルム部材２０の主面２０ｐ上に、上辺２０Ｕ近傍に形成されている。絶縁フィルム部材２０を丸めて円筒体１１を形成する際、ループ部１２の両端間が半田により電気的に接続される。
【００１２】
第１乃至第４の給電線１３１〜１３４の各々は、絶縁フィルム部材２０の下辺２０Ｌからループ部１２まで中心軸と平行に延在して、ループ部１２に接続されている。
【００１３】
絶縁フィルム部材２０の主面２０ｐ上に形成されるループ部１２および第１乃至第４の給電線１３１〜１３４は、同じ伝導材料（例えば、銅箔）から構成されて良い。絶縁フィルム部材２０として、片面フレキシブルプリント配線板を使用している。
【００１４】
一般に、４点給電ループアンテナでは、給電インピーダンスを５０Ωにする必要がある。しかしながら、各給電線１３１〜１３４がループ部１２に直接接続された構造を有する第１の従来の４点給電ループアンテナ１０’では、各給電端子１３１ａ〜１３４ａでのインピーダンスが２５０〜３００Ωと高くなり過ぎていた。その為、移相器の出力端子（給電点）でインピーダンスマッチングをとることが困難であった。
【００１５】
上述した第１の従来の４点給電ループアンテナ１０’では、ループ部１２の形状が円形をしているが、後述するような、ループ部の形状は四角形などの多角形であっても良い。
【００１６】
図４及び図５を参照して、第２の従来の４点給電ループアンテナ３０’について説明する。図示の４点給電ループアンテナ３０’は、四角筒の形状をしているので、四角筒形４点給電ループアンテナと呼ばれる。尚、図１乃至図３を参照して前述した４点給電ループアンテナ１０’は、円筒の形状をしているので、円筒形４点給電ループアンテナと呼ばれる。
【００１７】
図示の従来の四角筒形４点給電ループアンテナ３０’は、同一形状を持つ第１乃至第４の絶縁フィルム部材３１１，３１２，３１３，３１４を互いに側辺を接続することによって中心軸の回りに四角筒状に配置して形成された四角筒体３１と、この四角筒体３１にその周面に沿って中心軸の回りにループ状に形成された導体よりなるループ部３２と、このループ部３２へＮ点で給電するために、四角筒体を構成する第１乃至第４の絶縁フィルム部材３１１〜３１４の周面上にそれぞれ形成された第１乃至第４の給電線３３１，３３２，３３３，３３４（但し、３３３と３３４は図示せず。）とを有する。ループ部３２を構成する導体としては、例えば銅箔が使用される。また、四角筒体３１を構成する第１乃至第４の絶縁フィルム部材３１１〜３１４としては、例えば、ポリイミドなどのプラスチックが使用される。
【００１８】
従来の四角筒形４点給電ループアンテナ３０’でも、上述した従来の円筒形４点給電ループアンテナ１０’と同様に、ループ部３２と第１乃至第４の給電線３３１〜３３４の各々とは直接接続されている。
【００１９】
尚、四角筒形４点給電ループアンテナ３０’において、そのループ部３２で受信された電波は、第１乃至第４の給電線３３１〜３３４を介して移相器（位相シフタ）（図示せず）によって位相をシフトすることにより位相を一致させて（調整して）合成された後、低雑音増幅器（ＬＮＡ）（図示せず）によって増幅され、受信機本体へ送られる。ここで、４点給電ループアンテナ３０’と移相器とＬＮＡとの組合せは、アンテナ装置と呼ばれる。
【００２０】
尚、上述した第２の従来例では、ループ部３２に４点で給電する場合を例に挙げて説明したが、ループ部にＭ（Ｍは３以上の整数）点で給電する場合にも拡張できる。このようなＭ点で給電する型のループアンテナはＭ点給電ループアンテナと呼ばれる。従って、従来のＭ点給電ループアンテナでは、ループ部とＭ本の給電線の各々とを直接接続することによって、ループ部に対して直接給電を行っている。
【００２１】
図５を参照すると、四角筒体３１を構成する第１乃至第４の絶縁フィルム部材３１１〜３１４の各々は、同一の形状（構造）を有する絶縁フィルム部材４０から成るので、ここでは、それらを代表して第１の絶縁フィルム部材３１１についてのみ説明する。
【００２２】
第１の絶縁フィルム部材３１１を構成する絶縁フィルム部材４０は、主面４０ｐと、上辺４０Ｕと、下辺４０Ｌと、第１の側辺４０Ｓ１と、第２の側辺４０Ｓ２とを持つ実質的に矩形の形状をしている。したがって、互いに隣接する絶縁フィルム部材３１１〜３１４の第１の側辺２０Ｓ１と第２の側辺２０Ｓ２とを接続することにより、図４に示されるような、四角筒体３１が形成される。この第１の側辺４０Ｓ１と第２の側辺４０Ｓ２との接続は、例えば、両面接着テープや接着剤などによって行われる。
【００２３】
また、ループ部３２は、それぞれ、第１乃至第４の絶縁フィルム部材３１１〜３１４の主面上に形成された、第１乃至第４のループ片３２１，３２２，３２３，３２４（但し、３２３と３２４は図示せず。）から成る。
【００２４】
図５に示されるように、第１のループ片３２１は、第１の絶縁フィルム部材３１１を構成する絶縁フィルム部材４０の主面４０ｐ上に、上辺４０Ｕ近傍に形成されている。第１乃至第４の絶縁フィルム部材３１１〜３１４を互いに側辺で接続して四角筒体３１を形成する際、互いに隣接するループ片３２１〜３２４の両端間が半田により電気的に接続される。
【００２５】
第１の給電線３３１は、絶縁フィルム部材４０の下辺４０Ｌから第１のループ片３２１まで中心軸と平行に延在して、第１のループ片３２１に接続されている。
【００２６】
第１乃至第４の絶縁フィルム部材３１１〜３１４の主面４０ｐ上に形成される第１乃至第４のループ片３２１〜３２４および第１乃至第４の給電線３３１〜３３４は、同じ伝導材料（例えば、銅箔）から構成されて良い。絶縁フィルム部材４０として、片面プリント配線板を使用している。
【００２７】
一般に、４点給電ループアンテナでは、給電インピーダンスを５０Ωにする必要がある。しかしながら、各給電線３３１〜３３４が各ループ片３２１〜３２４に直接接続された構造を有する従来の四角筒形４点給電ループアンテナ３０’では、各給電端子３３１ａ〜３３４ａ（但し、３３３ａと３３４ａは図示せず。）でのインピーダンスが２５０〜３００Ωと高くなり過ぎていた。その為、移相器の出力端子（給電点）でインピーダンスマッチングをとることが困難であった。
【００２８】
とにかく、従来の４点給電ループアンテナ１０’、３０’では、インピーダンスマッチングをとることが困難であった。そこで、インピーダンスマッチングを容易にとることを可能にするために、電磁結合によってループ部に給電を行うようにした、電磁結合型Ｎ点給電ループアンテナが提案されている（例えば、特願２００２−２３０１４２参照。）。
【００２９】
以下、この提案された電磁結合型４点給電ループアンテナについて図面を参照して詳細に説明する。
【００３０】
図６乃至図８を参照して、提案された電磁結合型４点給電ループアンテナ１０について説明する。
【００３１】
図示の電磁結合型４点給電ループアンテナ１０は、後で詳述するように可撓性の絶縁フィルム部材２０を中心軸の回りに筒状に丸めて形成された円筒体１１と、この円筒体１１にその周面に沿って中心軸の回りにループ状に形成された導体よりなるループ部１２と、このループ部１２へ４点で給電するために、円筒体１１にその周面上に形成された第１乃至第４の給電線１３１、１３２、１３３、１３４とを有する。ループ部１２を構成する導体としては、例えば銅箔が使用される。また、円筒体１１を構成する可撓性の絶縁フィルム部材２０としては、例えば、ポリイミドなどのプラスチックが使用される。円筒体１１の直径は２０ｍｍである。
【００３２】
図示の例では、図７に示されるように、ループ部１２と第１乃至第４の給電線１３１〜１３４の各々との間にはギャップ（隙間）δ１が設けられ、電磁結合によってループ部１２への給電を行っている。図示の例では、ギャップδ１は、例えば、０．４ｍｍであるが、０．２〜０．８ｍｍの範囲にあることが好ましい。
【００３３】
尚、図示はしないが、円筒体１１の筒軸方向における一端は回路基板に固定されている。この回路基板の主面上には移相器（４点給電位相シフタ）が形成され、回路基板の裏面上には接地導体パターン（図示せず）が形成されている。そして、第１乃至第４の給電線１３１〜１３４の第１乃至第４の給電端子１３１ａ〜１３４ａは４点給電位相シフタの第１乃至第４の入力端子と半田により電気的及び機械的に接続されている。
【００３４】
図８を参照すると、円筒体３１を形成するための絶縁フィルム部材２０は、主面２０ｐと、上辺２０Ｕと、下辺２０Ｌと、第１の側辺２０Ｓ１と、第２の側辺２０Ｓ２とを持つ実質的に矩形の形状をしている。そして、第１の側辺２０Ｓ１と第２の側辺２０Ｓ２とを互いに接続することにより、図６に示されるような、円筒体１１が形成される。この第１の側辺２０Ｓ１と第２の側辺２０Ｓ２との接続は、例えば、両面接着テープや接着剤などによって行われる。
【００３５】
また、ループ部１２は、絶縁フィルム部材２０の主面２０ｐ上に、上辺２０Ｕ近傍に形成されている。絶縁フィルム部材２０を丸めて円筒体１１を形成する際、ループ部１２の両端間が半田により電気的に接続される。
【００３６】
図示の例では、第１乃至第４の給電線１３１〜１３４の各々は、絶縁フィルム部材２０の下辺２０Ｌからループ部１２の近傍まで中心軸と平行に延在している。そして、ループ部１２には、第１乃至第４の給電線１３１〜１３４に対して、それぞれ、ギャップδ１を空けて近接した状態でループ部１２から第１乃至第４の給電線１３１〜１３４に沿って下辺２０Ｌへ向けて延在する第１乃至第４の電磁結合線１７１、１７２、１７３、１７４が接続されている。互いに隣接する給電線１３１〜１３４と電磁結合線１７１〜１７４との間の結合長さＬ１を変えることによって、電磁結合型４点給電ループアンテナ１０の周波数特性を変えることができる。
【００３７】
絶縁フィルム部材２０の主面２０ｐ上に形成されるループ部１２、第１乃至第４の給電線１３１〜１３４、および第１乃至第４の電磁結合線１７１〜１７４は、同じ伝導材料（例えば、銅箔）から構成されて良い。絶縁フィルム部材２０として、片面フレキシブルプリント配線板を使用している。
【００３８】
一般に、４点給電ループアンテナでは、給電インピーダンスを５０Ωにする必要がある。本例による電磁結合型４点給電ループアンテナ１０では、各給電端子１３１ａ〜１３４ａでのインピーダンスを１５Ωまで低くすることができる。図示の例では、各給電端子１３１ａ〜１３４ａでのインピーダンスは６０Ωである。それにより、移相器（４点給電位相シフタ）の出力端子でのインピーダンスを５０Ωにすることができる。すなわち、ループ部１２に対し電磁結合によって給電を行うことにより、インピーダンスマッチングを容易にとることができる。尚、ギャップδ１の大きさを変えることにより、各給電端子１３１ａ〜１３４ａでのインピーダンスを変えることができる。
【００３９】
上述した電磁結合型４点給電ループアンテナ１０では、ループ部１２の形状が円形をしているが、後述するような、ループ部の形状は四角形などの多角形であっても良い。
【００４０】
図９及び図１０を参照して、ループ部の形状が四角形の電磁結合型４点給電ループアンテナ３０について説明する。図示の電磁結合型４点給電ループアンテナ３０は、四角筒の形状をしているので、四角筒形電磁結合型４点給電ループアンテナと呼ばれる。尚、図６乃至図８を参照して前述した電磁結合型４点給電ループアンテナ１０は、円筒の形状をしているので、円筒形電磁結合型４点給電ループアンテナと呼ばれる。
【００４１】
図示の四角筒形電磁結合型４点給電ループアンテナ３０は、同一形状を持つ第１乃至第４の絶縁フィルム部材３１１，３１２，３１３，３１４を互いに側辺を接続することによって中心軸の回りに四角筒状に配置して形成された四角筒体３１と、この四角筒体３１にその周面に沿って中心軸の回りにループ状に形成された導体よりなるループ部３２と、このループ部３２へ４点で給電するために、四角筒体３１を構成する第１乃至第４の絶縁フィルム部材３１１〜３１４の周面上にそれぞれ形成された第１乃至第４の給電線３３１，３３２，３３３，３３４（但し、３３２と３３３は図示せず。）とを有する。ループ部３２を構成する導体としては、例えば銅箔が使用される。また、四角筒体３１を構成する第１乃至第４の絶縁フィルム部材３１１〜３１４としては、例えば、ポリイミドなどのプラスチックが使用される。
【００４２】
図９に示されるように、ループ３２と第１乃至第４の給電線３３１〜３３４の各々との間にはギャップ（隙間）δ１が設けられ、電磁結合によってループ部３２への給電を行っている。図示の例では、ギャップ（隙間）δ１は、例えば、０．４ｍｍであるが、０．２〜０．８ｍｍの範囲にあることが好ましい。
【００４３】
尚、図示はしないが、四角筒体３１の筒軸方向における一端は回路基板に固定されている。この回路基板の主面上には移相器（４点給電位相シフタ）が形成され、回路基板の裏面上には接地導体パターン（図示せず）が形成されている。そして、第１乃至第４の給電線３３１〜３３４の第１乃至第４の給電端子３３１ａ〜３３４ａは４点給電位相シフタの第１乃至第４の入力端子と半田により電気的及び機械的に接続されている。
【００４４】
図１０を参照すると、四角筒体３１を構成する第１乃至第４の絶縁フィルム部材３１１〜３１４の各々は、同一の形状（構造）を有する絶縁フィルム部材４０から成るので、ここでは、それらを代表して第１の絶縁フィルム部材３１１についてのみ説明する。
【００４５】
第１の絶縁フィルム部材３１１を構成する絶縁フィルム部材４０は、主面４０ｐと、上辺４０Ｕと、下辺４０Ｌと、第１の側辺４０Ｓ１と、第２の側辺４０Ｓ２とを持つ実質的に矩形の形状をしている。したがって、互いに隣接する絶縁フィルム部材３１１〜３１４の第１の側辺２０Ｓ１と第２の側辺２０Ｓ２とを接続することにより、図９に示されるような、四角筒体３１が形成される。互いに隣接する絶縁フィルム部材３１１〜３１４の第１の側辺４０Ｓ１と第２の側辺４０Ｓ２との間の接続は、例えば、両面接着テープや接着剤などによって行われる。
【００４６】
また、ループ部３２は、それぞれ、第１乃至第４の絶縁フィルム部材３１１〜３１４の主面上に形成された、第１乃至第４のループ片３２１，３２２，３２３，３２４（但し、３２２と３２３は図示せず。）から成る。
【００４７】
図１０に示されるように、第１のループ片３２１は、第１の絶縁フィルム部材３１１を構成する絶縁フィルム部材４０の主面４０ｐ上に、上辺４０Ｕ近傍に形成されている。第１乃至第４の絶縁フィルム部材３１１〜３１４を互いに側辺で接続して四角筒体３１を形成する際、互いに隣接するループ片３２１〜３２４の両端間が半田により電気的に接続される。
【００４８】
第１の給電線３３１は、絶縁フィルム部材４０の下辺４０Ｌから第１のループ片３２１の近傍まで中心軸と平行に延在している。そして、第１のループ片３２１には、第１の給電線３３１に対してギャップδ１を空けて近接した状態で、第１のループ片３２１から第１の給電線３３１に沿って下辺４０Ｌに向けて延在する第１の電磁結合線３７１が接続されている。同様に、第２乃至第４のループ片３２２〜３２４には、第２乃至第４の給電線３３２〜３３４に対して、それぞれ、ギャップδ１を空けて近接した状態で、第２乃至第４のループ片３２２〜３２４から第２乃至第４の給電線３３２〜３２４に沿って下辺４０Ｌへ向けて延在する第２乃至第４の電磁結合線３７２，３７３，３７４（但し、図９では、３７２と３７３は図示せず。）が接続されている。互いに隣接する給電線３３１〜３３４と電磁結合線３７１〜３７４との間の結合長さＬ１を変えることによって、四角筒形電磁結合型４点給電ループアンテナ３０の周波数特性を変えることができる。
【００４９】
第１乃至第４の絶縁フィルム部材３１１〜３１４の主面４０ｐ上に形成される第１乃至第４のループ片３２１〜３２４、第１乃至第４の給電線３３１〜３３４、および第１乃至第４の電磁結合線３７１〜３７４は、同じ伝導材料（例えば、銅箔）から構成されて良い。絶縁フィルム部材４０として、片面プリント配線板を使用している。
【００５０】
一般に、４点給電ループアンテナでは、給電インピーダンスを５０Ωにする必要がある。本例による四角筒形電磁結合型４点給電ループアンテナ３０では、各給電端子３３１ａ〜３３４ａでのインピーダンスを１５Ωまで低くすることができる。図示の例では、各給電端子３３１ａ〜３３４ａでのインピーダンスは６０Ωである。それにより、移相器（４点給電位相シフタ）の出力端子でのインピーダンスを５０Ωにすることができる。すなわち、ループ部３２に対し電磁結合によって給電を行うことにより、インピーダンスマッチングを容易にとることができる。尚、ギャップδ１の大きさを変えることにより、各給電端子３３１ａ〜３３４ａでのインピーダンスを変えることができる。
【００５１】
【発明が解決しようとする課題】
上述したように、提案した電磁結合型４点給電ループアンテナでは、ループ部と各給電線との間にギャップを設け、ループ部への給電を電磁結合によって行うことによって、インピーダンスマッチングを容易にとっている。
【００５２】
しかしながら、この提案した電磁結合型４点給電ループアンテナでは、それに使用する絶縁フィルム部材として片面フレキシブルプリント配線板や片面プリント配線板を使用しているので、導体パターンは絶縁フィルム部材の片面にしか形成することができない。そのため、前述したギャップδ１を狭くするには限界があり、最低で０．２ｍｍが限度である。換言すれば、互いに隣接する給電線と電磁結合線とで形成されるキャパシタの容量値を余り大きくすることができず、インピーダンスマッチングの範囲を広げることが困難である。
【００５３】
したがって、本発明の課題は、インピーダンスマッチングの範囲を広くすることが可能な電磁結合型Ｎ（Ｍ）点給電ループアンテナを提供することにある。
【００５４】
【課題を解決するための手段】
本発明の第１の態様によれば、可撓性の絶縁フィルム部材を中心軸の回りに円筒状に丸めて形成された円筒体（１１）と、該円筒体にその周面に沿って前記中心軸の回りにループ状に形成された導体よりなるループ部（１２）と、該ループ部へＮ（Ｎは２以上の整数）点で給電するために、前記円筒体にその周面上に形成されたＮ本の給電線（１３１〜１３４）とを有し、前記ループ部と前記Ｎ本の給電線の各々との間にギャップを設け、電磁結合によって給電する円筒形電磁結合型Ｎ点給電ループアンテナ（１０Ａ）において、前記可撓性の絶縁フィルム部材として両面フレキシブルプリント配線板（２０Ａ）を使用し、該両面フレキシブルプリント配線板の厚さを前記ギャップ（δ２）として用いたことを特徴とする円筒形電磁結合型Ｎ点給電ループアンテナが得られる。
【００５５】
上記円筒形電磁結合型Ｎ点給電ループアンテナにおいて、前記絶縁フィルム部材（２０Ａ）は、互いに対向する第１および第２の面（２０ｂ，２０ｐ）と、互いに対向する上辺（２０Ｕ）および下辺（２０Ｌ）と、互いに対向する第１および第２の側辺（２０Ｓ１，２０Ｓ２）とを持つ実質的に薄厚の直方体形状をしており、前記第１の側辺と前記第２の側辺とを互いに接続することにより前記円筒体が形成されて良い。前記ループ部（１２）は、前記絶縁フィルム部材の前記第１の面（２０ｂ）上に前記上辺（２０Ｕ）近傍に形成されて良い。
【００５６】
また、前記Ｎ本の給電線（１３１〜１３４）の各々は、前記絶縁フィルム部材の前記第２の面（２０ｐ）上で、前記絶縁フィルム部材の上記下辺から前記ループ部の近傍まで延在しており、前記ループ部（１２）には、前記絶縁フィルム部材の厚さを前記ギャップ（δ２）とするように前記Ｎ本の給電線と前記絶縁フィルム部材を間に挟んで対向した状態で、前記絶縁フィルム部材の前記第１の面（２０ｂ）上で前記ループ部から前記Ｎ本の給電線に沿って前記下辺へ向けて延在するＮ本の電磁結合線（１７１〜１７４）が接続されていて良い。
【００５７】
例えば、前記絶縁フィルム部材の第１の面（２０ｂ）が前記円筒体（１１）の内面を形成し、前記絶縁フィルム部材の第２の面（２０ｐ）が前記円筒体（１１）の外面を形成して良い。
【００５８】
本発明の第２の態様によれば、同一形状を持つ第１乃至第Ｍ（Ｍは３以上の整数）の絶縁フィルム部材（３１１〜３１４）を互いに側辺を接続することによって中心軸の回りにＭ角筒状に配置して形成されたＭ角筒体（３１）と、該Ｍ角筒体にその周面に沿って前記中心軸の回りにループ状に形成された導体よりなるループ部（３２）と、該ループ部へＭ点で給電するために、前記Ｍ角筒体を構成する前記第１乃至前記第Ｍの絶縁フィルム部材の周面上にそれぞれ形成された第１乃至第Ｍの給電線（３３１〜３３４）とを有し、前記ループ部と前記第１乃至第Ｍの給電線の各々との間にギャップを設け、電磁結合によって給電する多角筒形電磁結合型Ｍ点給電ループアンテナ（３０Ａ）において、前記第１乃至前記第Ｍの絶縁フィルム部材の各々として両面プリント配線板（４０Ａ）を使用し、該両面プリント配線板の厚さを前記ギャップ（δ２）として用いたことを特徴とする多角筒形電磁結合型Ｍ点給電ループアンテナが得られる。
【００５９】
上記多角筒形電磁結合型Ｍ点給電ループアンテナにおいて、前記第１乃至前記第Ｍの絶縁フィルム部材の各々は、互いに対向する第１および第２の面（４０ｂ，４０ｐ）と、互いに対向する上辺（４０Ｕ）および下辺（４０Ｌ）と、互いに対向する第１および第２の側辺（４０Ｓ１，４０Ｓ２）とを持つ実質的に薄厚の直方体形状をしており、互いに隣接する絶縁フィルム部材の前記第１の側辺と前記第２の側辺とを接続することにより前記Ｍ角筒体（３１）が形成されて良い。そして、前記ループ部（３２）は、前記第１乃至前記第Ｍの絶縁フィルム部材の前記第１の面（４０ｂ）上に前記上辺（４０Ｕ）近傍に形成されて良い。
【００６０】
また、前記第１乃至前記第Ｍの給電線（３３１〜３３４）は、それぞれ、前記第１乃至前記第Ｍの絶縁フィルム部材の前記第２の面（４０ｐ）上で、前記第１乃至前記第Ｍの絶縁フィルム部材の上記下辺から前記ループ部の近傍まで延在しており、前記ループ部（３２）には、前記第１乃至前記第Ｍの絶縁フィルム部材の各々の厚さを前記ギャップ（δ２）とするように、前記第１乃至第Ｍの給電線と前記第１乃至前記第Ｍの絶縁フィルム部材を間に挟んで対向した状態で、前記第１乃至前記第Ｍの絶縁フィルム部材の前記第１の面（４０ｂ）上で前記ループ部から前記第１乃至前記第Ｍの給電線に沿って前記下辺へ向けて延在する第１乃至第Ｍの電磁結合線（３７１〜３７４）が接続されていて良い。
【００６１】
例えば、前記第１乃至前記第Ｍの絶縁フィルム部材の第１の面（４０ｂ）が前記Ｍ角筒体（３１）の内面を形成し、前記第１乃至前記第Ｍの絶縁フィルム部材の第２の面（４０ｐ）が前記Ｍ角筒体（３１）の外面を形成して良い。
【００６２】
尚、上記括弧内の符号は、本発明の理解を容易にするために付したものであり、一例にすぎず、これらに限定されないのは勿論である。
【００６３】
【発明の実施の形態】
以下、図面を参照して、本発明の実施の形態について詳細に説明する。
【００６４】
図１１乃至図１３を参照して、本発明の第１の実施の形態に係る電磁結合型Ｎ点給電ループアンテナ１０Ａについて説明する。図示の電磁結合型Ｎ点給電ループアンテナ１０Ａは、Ｎが４の場合、すなわち、電磁結合型４点給電ループアンテナである。
【００６５】
図示の電磁結合型４点給電ループアンテナ１０Ａは、後で詳述するように可撓性の絶縁フィルム部材２０Ａを中心軸の回りに筒状に丸めて形成された円筒体１１と、この円筒体１１にその周面に沿って中心軸の回りにループ状に形成された導体よりなるループ部１２と、このループ部１２へ４点で給電するために、円筒体１１にその周面上に形成された第１乃至第４の給電線１３１、１３２、１３３、１３４とを有する。ループ部１２を構成する導体としては、例えば銅箔が使用される。また、円筒体１１を構成する可撓性の絶縁フィルム部材２０Ａとしては、例えば、ポリイミドなどのプラスチックが使用される。円筒体１１の直径は２０ｍｍである。
【００６６】
本発明の第１の実施の形態では、絶縁フィルム部材２０Ａとして、両面フレキシブルプリント配線板を用いている。
【００６７】
ここで、本発明では、図１３に示されるように、ループ部１２と第１乃至第４の給電線１３１〜１３４の各々との間には、絶縁フィルム部材２０Ａの厚さとして用いたギャップ（隙間）δ２が設けられ、電磁結合によってループ部１２への給電を行っている。図示の例では、ギャップδ２は、例えば、３０μｍ〜５０μｍの範囲に設定される。
【００６８】
尚、図示はしないが、円筒体１１の筒軸方向における一端は回路基板に固定されている。この回路基板の主面上には移相器（４点給電位相シフタ）が形成され、回路基板の裏面上には接地導体パターンが形成されている。そして、第１乃至第４の給電線１３１〜１３４の第１乃至第４の給電端子１３１ａ〜１３４ａは４点給電位相シフタの第１乃至第４の入力端子と半田により電気的及び機械的に接続されている。
【００６９】
図１３を参照すると、円筒体１１を形成するための絶縁フィルム部材２０Ａは、互いに対向する主面２０ｐおよび裏面２０ｂと、互いに対向する上辺２０Ｕおよび下辺２０Ｌと、互いに対向する第１の側辺２０Ｓ１および第２の側辺２０Ｓ２とを持つ実質的に薄厚の直方体形状をしている。ここでは、裏面２０ｂは第１の面とも呼ばれ、主面２０ｐは第２の面とも呼ばれる。そして、第１の側辺２０Ｓ１と第２の側辺２０Ｓ２とを互いに接続することにより、図１１に示されるような、円筒体１１が形成される。この第１の側辺２０Ｓ１と第２の側辺２０Ｓ２との接続は、例えば、両面接着テープや接着剤などによって行われる。
【００７０】
図示の例では、絶縁フィルム部材２０Ａの裏面（第１の面）２０ｂが円筒体１１の内面を形成し、絶縁フィルム部材２０Ａの主面（第２の面）２０ｐが円筒体１１の外面を形成している。しかしながら、逆に形成しても良い。
【００７１】
また、ループ部１２は、絶縁フィルム部材２０Ａの裏面（第１の面）２０ｂ上に、上辺２０Ｕ近傍に形成されている。絶縁フィルム部材２０Ａを丸めて円筒体１１を形成する際、ループ部１２の両端間が半田により電気的に接続される。
【００７２】
第１の実施の形態では、第１乃至第４の給電線１３１〜１３４の各々は、絶縁フィルム部材２０Ａの表面（第２の面）２０ｐ上で、絶縁フィルム部材２０Ａの下辺２０Ｌからループ部１２の近傍まで中心軸と平行に延在している。そして、ループ部１２には、絶縁フィルム部材２０Ａの厚さを上記ギャップδ２とするように、第１乃至第４の給電線１３１〜１３４と絶縁フィルム部材２０Ａを間に挟んで対向した状態で、絶縁フィルム部材２０Ａの裏面（第１の面）２０ｂ上で、ループ部１２から第１乃至第４の給電線１３１〜１３４に沿って下辺２０Ｌへ向けて延在する第１乃至第４の電磁結合線１７１、１７２、１７３、１７４が接続されている。互いに隣接する給電線１３１〜１３４と電磁結合線１７１〜１７４との間の結合長さＬ２を変えることによって、電磁結合型４点給電ループアンテナ１０Ａの周波数特性を変えることができる。
【００７３】
絶縁フィルム部材２０Ａの裏面２０ｂ上に形成されるループ部１２、主面２０ｐ上に形成される第１乃至第４の給電線１３１〜１３４、および裏面２０ｂ上に形成される第１乃至第４の電磁結合線１７１〜１７４は、同じ伝導材料（例えば、銅箔）から構成されて良い。
【００７４】
一般に、４点給電ループアンテナでは、給電インピーダンスを５０Ωにする必要がある。本実施の形態による電磁結合型４点給電ループアンテナ１０Ａでは、各給電端子１３１ａ〜１３４ａでのインピーダンスを２５Ωまで低くすることができる。図示の例では、各給電端子１３１ａ〜１３４ａでのインピーダンスは６０Ωである。それにより、移相器（４点給電位相シフタ）の出力端子でのインピーダンスを５０Ωにすることができる。すなわち、ループ部１２に対し電磁結合によって給電を行うことにより、インピーダンスマッチングを容易にとることができる。尚、各給電線１３１〜１３４および各電磁結合線１７１〜１７４の幅の大きさを変えることにより、各給電端子１３１ａ〜１３４ａでのインピーダンスを変えることができる。
【００７５】
本実施の形態では、絶縁フィルム部材２０Ａとして両面フレキシブルプリント配線板を使用し、互いに隣接する給電線１３１〜１３４と電磁結合線１７１〜１７４とを絶縁フィルム２０Ａ（の厚さ）を介して対向配置して、絶縁フィルム部材２０Ａの厚さをギャップδ２として用いているので、インピーダンスマッチングの範囲を容易に広げることができる。
【００７６】
図１４及び図１５を参照して、本発明の第２の実施の形態に係る電磁結合型Ｍ点給電ループアンテナ３０Ａについて説明する。図示の電磁結合型Ｍ点給電ループアンテナ３０Ａは、Ｍが４の場合、すなわち、電磁結合型４点給電ループアンテナである。
【００７７】
図示の電磁結合型４点給電ループアンテナ３０Ａは、四角筒の形状をしているので、四角筒形電磁結合型４点給電ループアンテナと呼ばれる。尚、図１１乃至図１３を参照して前述した電磁結合型４点給電ループアンテナ１０Ａは、円筒の形状をしているので、円筒形電磁結合型４点給電ループアンテナと呼ばれる。
【００７８】
図示の四角筒形電磁結合型４点給電ループアンテナ３０Ａは、同一形状を持つ第１乃至第４の絶縁フィルム部材３１１，３１２，３１３，３１４を互いに側辺を接続することによって中心軸の回りに四角筒状に配置して形成された四角筒体３１と、この四角筒体３１にその周面に沿って中心軸の回りにループ状に形成された導体よりなるループ部３２と、このループ部３２へ４点で給電するために、四角筒体３１を構成する第１乃至第４の絶縁フィルム部材３１１〜３１４の周面上にそれぞれ形成された第１乃至第４の給電線３３１，３３２，３３３，３３４（但し、３３２と３３３は図示せず。）とを有する。ループ部３２を構成する導体としては、例えば銅箔が使用される。また、四角筒体３１を構成する第１乃至第４の絶縁フィルム部材３１１〜３１４である絶縁フィルム部材４０Ａとしては、例えば、ポリイミドなどのプラスチックが使用される。
【００７９】
本発明の第２の実施の形態では、絶縁フィルム部材４０Ａとして、両面プリント配線板を用いている。
【００８０】
図１５（ｃ）に示されるように、ループ部３２と第１乃至第４の給電線３３１〜３３４の各々との間に、絶縁フィルム部材４０Ａの厚さを用いて形成されたギャップ（隙間）δ２が設けられ、電磁結合によってループ部３２への給電を行っている。図示の例では、ギャップ（隙間）δ２は、例えば、３０μｍ〜５０μｍの範囲としている。
【００８１】
尚、図示はしないが、四角筒体３１の筒軸方向における一端は回路基板に固定されている。この回路基板の主面上には移相器（４点給電位相シフタ）が形成され、回路基板の裏面上には接地導体パターン（図示せず）が形成されている。そして、第１乃至第４の給電線３３１〜３３４の第１乃至第４の給電端子３３１ａ〜３３４ａは４点給電位相シフタの第１乃至第４の入力端子と半田により電気的及び機械的に接続されている。
【００８２】
図１５を参照すると、四角筒体３１を構成する第１乃至第４の絶縁フィルム部材３１１〜３１４の各々は、同一の形状（構造）を有する絶縁フィルム部材４０Ａから成るので、ここでは、それらを代表して第１の絶縁フィルム部材３１１についてのみ図示して説明する。
【００８３】
第１の絶縁フィルム部材３１１を構成する絶縁フィルム部材４０Ａは、互いに対向する主面４０ｐおよび裏面４０ｂと、互いに対向する上辺４０Ｕおよび下辺４０Ｌと、互いに対向する第１の側辺４０Ｓ１および第２の側辺４０Ｓ２とを持つ実質的に薄厚の直方体形状をしている。ここでは、裏面４０ｂは第１の面とも呼ばれ、主面４０ｐは第２の面とも呼ばれる。したがって、互いに隣接する絶縁フィルム部材３１１〜３１４の第１の側辺２０Ｓ１と第２の側辺２０Ｓ２とを接続することにより、図１４に示されるような、四角筒体３１が形成される。互いに隣接する絶縁フィルム部材３１１〜３１４の第１の側辺４０Ｓ１と第２の側辺４０Ｓ２との間の接続は、例えば、両面接着テープや接着剤などによって行われる。
【００８４】
図示の例では、第１乃至第４の絶縁フィルム部材３１１〜３１４の裏面（第１の面）４０ｂが四角筒体３１の内面を形成し、第１乃至第４の絶縁フィルム部材３１１〜３１４の主面（第２の面）４０ｐが四角筒体３１の外面を形成している。しかしながら、逆に形成しても良い。
【００８５】
また、ループ部３２は、それぞれ、第１乃至第４の絶縁フィルム部材３１１〜３１４の裏面（第１の面）４０ｂ上に形成された、第１乃至第４のループ片３２１，３２２，３２３，３２４（但し、３２４は図示せず。）から成る。
【００８６】
図１５に示されるように、第１のループ片３２１は、第１の絶縁フィルム部材３１１を構成する絶縁フィルム部材４０Ａの裏面４０ｂ上に、上辺４０Ｕ近傍に形成されている。第１乃至第４の絶縁フィルム部材３１１〜３１４を互いに側辺で接続して四角筒体３１を形成する際、互いに隣接するループ片３２１〜３２４の両端間が半田により電気的に接続される。
【００８７】
第１の給電線３３１は、絶縁フィルム部材４０Ａの主面（第２の面）４０ｐ上で、絶縁フィルム部材４０Ａの下辺４０Ｌから第１のループ片３２１の近傍まで中心軸と平行に延在している。そして、第１のループ片３２１には、絶縁フィルム部材４０Ａの厚さをギャップδ２とするように、第１の給電線３３１と第１の絶縁フィルム部材３１１（絶縁フィルム部材４０Ａ）を間に挟んで対向した状態で、第１の絶縁フィルム部材３１１（絶縁フィルム部材４０Ａ）の裏面（第１の面）４０ｂ上で第１のループ片３２１から第１の給電線３３１に沿って下辺４０Ｌに向けて延在する第１の電磁結合線３７１が接続されている。同様に、第２乃至第４のループ片３２２〜３２４には、それぞれ、第２乃至第４の給電線３３２〜３３４と第２乃至第４の絶縁フィルム部材３１２〜３１４（絶縁フィルム部材４０Ａ）を間に挟んで対向した状態で、第２乃至第４の絶縁フィルム部材３１２〜３１４（絶縁フィルム部材４０Ａ）の裏面（第１の面）４０ｂ上で第２乃至第４のループ片３２２〜３２４から第２乃至第４の給電線３３２〜３２４に沿って下辺４０Ｌへ向けて延在する第２乃至第４の電磁結合線３７２，３７３，３７４（但し、図１４では、３７１と３７５は図示せず。）が接続されている。互いに隣接する給電線３３１〜３３４と電磁結合線３７１〜３７４との間の結合長さＬ２を変えることによって、四角筒形電磁結合型４点給電ループアンテナ３０の周波数特性を変えることができる。
【００８８】
第１乃至第４の絶縁フィルム部材３１１〜３１４の裏面４０ｂ上に形成される第１乃至第４のループ片３２１〜３２４、主面４０ｐ上に形成される第１乃至第４の給電線３３１〜３３４、および裏面４０ｂ上に形成される第１乃至第４の電磁結合線３７１〜３７４は、同じ伝導材料（例えば、銅箔）から構成されて良い。絶縁フィルム部材４０Ａとして、両面プリント配線板を使用している。
【００８９】
一般に、４点給電ループアンテナでは、給電インピーダンスを５０Ωにする必要がある。本例による四角筒形電磁結合型４点給電ループアンテナ３０では、各給電端子３３１ａ〜３３４ａでのインピーダンスを２５Ωまで低くすることができる。図示の例では、各給電端子３３１ａ〜３３４ａでのインピーダンスは６０Ωである。それにより、移相器（４点給電位相シフタ）の出力端子でのインピーダンスを５０Ωにすることができる。すなわち、ループ部３２に対し電磁結合によって給電を行うことにより、インピーダンスマッチングを容易にとることができる。尚、各給電線３３１〜３３４および各電磁結合線３７１〜３７４の幅の大きさを変えることにより、各給電端子３３１ａ〜３３４ａでのインピーダンスを変えることができる。
【００９０】
本実施の形態では、絶縁フィルム部材４０Ａとして両面プリント配線板を使用し、互いに隣接する給電線３３１〜３３４と電磁結合線３７１〜３７４とを絶縁フィルム４０Ａ（の厚さ）を介して対向配置して、絶縁フィルム部材４０Ａの厚さをギャップδ２として用いているので、インピーダンスマッチングの範囲を容易に広げることができる。
【００９１】
以上、本発明について好ましい実施の形態によって説明してきたが、本発明は上述した実施の形態に限定しないのは勿論である。例えば、上記実施の形態では、給電線１３１〜１３４、３３１〜３３４や電磁結合線１７１〜１７４、３７１〜３７４は、絶縁フィルム部材２０Ａ、４０Ａの下辺２０Ｌに対して実質的に垂直な方向へ延在しているが、実質的に斜め方向へ延在しても良いのは勿論である。また、上述した第１の実施の形態では、Ｎが４の場合についてのみ例を挙げて説明しているが、本発明はＮが２、３の場合やＮが５以上の場合の円筒形電磁結合型Ｎ点給電ループアンテナにも同様に適用できるのは勿論である。同様に、上述した第２の実施の形態では、Ｍが４の場合についてのみ例を挙げて説明しているが、本発明はＭが３の場合やＭが５以上の場合の多角筒形電磁結合型Ｍ点給電ループアンテナにも同様に適用できるのは勿論である。さらに、中心軸に沿って延在するポールアンテナを更に備えても良い。
【００９２】
【発明の効果】
以上の説明から明らかなように、本発明では、絶縁フィルム部材として両面（フレキシブル）プリント配線板を使用し、ループ部とＮ（Ｍ）本の給電線の各々との間に設けるギャップとして、絶縁フィルム部材の厚さを用いているので、インピーダンスマッチングの範囲を容易に広げることができるという効果を奏する。
【図面の簡単な説明】
【図１】従来の円筒形４点給電ループアンテナの構成を示した斜視図である。
【図２】図１に示した円筒形４点給電ループアンテナの透視斜視図である。
【図３】図１の円筒形４点給電ループアンテナの展開図である。
【図４】従来の四角筒形４点給電ループアンテナの構成を示した斜視図である。
【図５】図４に示した四角筒形４点給電ループアンテナを構成する絶縁フィルム部材を示す平面図である。
【図６】従来の円筒形電磁結合型４点給電ループアンテナの構成を示した斜視図である。
【図７】図６に示した円筒形電磁結合型４点給電ループアンテナの透視斜視図である。
【図８】図６の円筒形電磁結合型４点給電ループアンテナの展開図である。
【図９】従来の四角筒形電磁結合型４点給電ループアンテナの構成を示した斜視図である。
【図１０】図９に示した四角筒形電磁結合型４点給電ループアンテナを構成する絶縁フィルム部材を示す平面図である。
【図１１】本発明の第１の実施の形態に係る円筒形電磁結合型４点給電ループアンテナの構成を示した斜視図である。
【図１２】図１１に示した円筒形電磁結合型４点給電ループアンテナの透視斜視図である。
【図１３】図１１の円筒形電磁結合型４点給電ループアンテナを展開した図であって、（ａ）は平面図、（ｂ）は裏面図、（ｃ）は（ａ）のＡ−Ａ線断面図である。
【図１４】本発明の第２の実施の形態に係る四角筒形電磁結合型４点給電ループアンテナの構成を示した斜視図である。
【図１５】図１４に示した四角筒形電磁結合型４点給電ループアンテナを構成する絶縁フィルム部材を示す図であって、（ａ）は平面図、（ｂ）は裏面図、（ｃ）は（ａ）のＢ−Ｂ線断面図である。
【符号の説明】１０Ａ　　円筒形電磁結合型４点給電ループアンテナ
１１　　円筒体
１２　　ループ部
１３１〜１３４　　給電線
１７１〜１７４　　電磁結合線
２０Ａ　　絶縁フィルム部材（両面フレキシブルプリント配線板）
２０ｂ　　裏面（第１の面）
２０ｐ　　主面（第２の面）
３０Ａ　　四角筒形電磁結合型４点給電ループアンテナ
３１　　四角筒体
３１１〜３１４　　絶縁フィルム部材
３２　　ループ部
３３１，３３２，３３４　　給電線
３７１〜３７４　　電磁結合線
４０Ａ　　絶縁フィルム部材（両面プリント配線板）
４０ｂ　　裏面（第１の面）
４０ｐ　　主面（第２の面）
【図１】
2004120315.tif 000003
【図２】
2004120315.tif 000004
【図３】
2004120315.tif 000005
【図４】
2004120315.tif 000006
【図５】
2004120315.tif 000007
【図６】
2004120315.tif 000008
【図７】
2004120315.tif 000009
【図８】
2004120315.tif 000010
【図９】
2004120315.tif 000011
【図１０】
2004120315.tif 000012
【図１１】
2004120315.tif 000013
【図１２】
2004120315.tif 000014
【図１３】
2004120315.tif 000015
【図１４】
2004120315.tif 000016
【図１５】
2004120315.tif 000017